(57)【要約】【課題】一つの部材で電気機器収納用箱体箱体の強度向上と、縦方向と横方向のどちらにも対応できる配線管理との両方を行うことが可能なケーブル束線機能付サイドレールを提供する。【解決手段】電気機器収納用箱体のフレームに取り付けられるケーブル束線機能付サイドレールであって、このケーブル束線機能付サイドレールは左右両端に設けた固定孔によって電気機器収納用箱体の左右のフレームに取り付けられると共に、断面が略コ字状になるように形成した本体と、本体の上面において束線を行うための溝孔を設けた上部曲げ部と、上部曲げ部と対向して引掛部を設けた下部曲げ部とからなり、サイドレールのように電気機器収納用箱体箱体の強度向上を可能とし、溝孔及び引掛部によって横方向及び縦方向の配線の束線を可能とした。【選択図】図２
2011100764.tif 000002
【特許請求の範囲】
【請求項１】
電気機器収納用箱体のフレームに取り付けられるケーブル束線機能付サイドレールであって、該ケーブル束線機能付サイドレールは左右両端に設けた固定孔によって前記電気機器収納用箱体の左右の前記フレームに取り付けられると共に、断面が略コ字状になるように形成した本体と、該本体の上面において束線を行うための溝孔を設けた上部曲げ部と、該上部曲げ部と対向して引掛部を設けた下部曲げ部とからなることを特徴とするケーブル束線機能付サイドレール。
【請求項２】
前記上部曲げ部において、１又は２以上の配線支持部を延設したことを特徴とする請求項１に記載のケーブル束線機能付サイドレール。
【請求項３】
前記上部曲げ部と前記下部曲げ部との間に形成される側面において、マウントアングルの取り付けを行う取付孔を設けたことを特徴とする請求項１又は請求項２に記載のケーブル束線機能付サイドレール。
【発明の詳細な説明】
【技術分野】
【０００１】
本発明は、電気機器収納用箱体の内部に取り付けられ、電気機器収納用箱体箱体の強度を向上し、且つ配線されるケーブル等の束線を行うことのできるケーブル束線機能付サイドレールに関するものである。
【背景技術】
【０００２】
従来、電気機器収納用箱体の内部には電気機器収納用箱体の強度を上げるための補強部材として図９に示すような、断面が略コ字状となるように形成された本体８２の左右両端に設けた固定孔８３によって箱体に取り付けられると共に、本体８２に設けた取付孔８９にマウントアングルを取り付けるサイドレールを使用する場合がある。これに加えて配線を管理するためには特許文献１に記載されているような、断面がコの字状の止め具本体に、多数の止め歯を櫛歯状に設けた束線部材を別途取り付ける場合があった。
【先行技術文献】
【特許文献】
【０００３】
【特許文献１】特開平１１−２３３９６６号公報
【発明の概要】
【発明が解決しようとする課題】
【０００４】
しかしながら、従来の方法では電気機器収納用箱体の強度向上と配線管理との両方を行う場合にはサイドレールと束線部材との両方を取り付ける必要があり、その際にはそれぞれにスペースを必要とするという欠点があった。又、取り付ける部材の数が増えるため、組立作業効率の低下やコストが増えるといった欠点があった。
【０００５】
又、従来の束線部材では縦方向の配線にのみの対応であったため、横方向の配線には使用が難しいという欠点があった。
【課題を解決するための手段】
【０００６】
上記した課題を解決するためになされた本発明のケーブル束線機能付サイドレールは、電気機器収納用箱体のフレームに取り付けられるケーブル束線機能付サイドレールであって、このケーブル束線機能付サイドレールは左右両端に設けた固定孔によって電気機器収納用箱体の左右のフレームに取り付けられると共に、断面が略コ字状になるように形成した本体と、本体の上面において束線を行うための溝孔を設けた上部曲げ部と、上部曲げ部と対向して引掛部を設けた下部曲げ部とからなる。
【発明の効果】
【０００７】
本発明のケーブル束線機能付サイドレールによれば、下部曲げ部に引掛部を設けたため電気機器収納用箱体の強度向上を図ると共に配線の束線を一つの部材で行うことが可能となる。
【０００８】
又、電気機器収納用箱体の強度向上と配線管理を一つの部材で行うことができるため必要となる部材の数が減り、組立作業効率の向上やコストの削減が可能となる。
【０００９】
又、上部曲げ部に溝孔を設けたため横方向の配線であっても束線が可能となり、縦方向又は横方向の配線のどちらにも対応可能となる。
【００１０】
又、電気機器収納用箱体のフレーム間であれば場所を選ばずに取付けることが可能であるため、電気機器収納用箱体内部に搭載する機器の配線に合わせた取り付けが可能となる。
【図面の簡単な説明】
【００１１】
【図１】図１は本発明の実施例１におけるケーブル束線機能付サイドレールを取り付けた際の電気機器収納用箱体の部分斜視図である。
【図２】図２は図１におけるＡから見た際の縦配線イメージを追加した本体のみの拡大斜視図である。
【図３】図３は図１におけるＢから見た際の横配線イメージを追加した本体のみの拡大斜視図である。
【図４】図４は図３におけるＸ−Ｘの断面図である。
【図５】図５は本発明の実施例２における配線支持部を設けたケーブル束線機能付サイドレールの斜視図である。
【図６】図６は本発明の実施例３における取付孔を設けたケーブル束線機能付サイドレールの斜視図である。
【図７】図７は本発明の実施例４における溝孔を二列設けたケーブル束線機能付サイドレールの斜視図である。
【図８】図８は本発明の実施例５における配線支持部を本体短手方向に伸ばしたケーブル束線機能付サイドレールの斜視図である。
【図９】図９は従来のサイドレールの斜視図である。
【図１０】図１０は従来技術における、特許文献１に記載の配線止め具の斜視図である。
【発明を実施するための形態】
【００１２】
本発明では、電気機器収納用箱体の内部に取り付けるケーブル束線機能付サイドレールによって、電気機器収納用箱体箱体の強度向上と配線の管理を一つの部材で行うことを可能にした。
【実施例１】
【００１３】
電気機器収納用箱体のフレーム１に取り付けられるケーブル束線機能付サイドレールであって、このケーブル束線機能付サイドレールは左右両端に設けた固定孔３、１３、２３、３３によって電気機器収納用箱体の左右のフレーム１に取り付けられると共に、断面が略コ字状になるように形成した本体２、１２、２２、３２と、本体の上面において束線を行うための溝孔５、１５、２５、３５を設けた上部曲げ部４、１４、２４、３４と、上部曲げ部４、１４、２４、３４と対向して引掛部７、１７、３７を設けた下部曲げ部６、１６、３６、とからなり、結束バンド９０、９１、９２等を溝孔５、１５、２５、３５を通し、又は引掛部７、１７、３７と共に縛ることにより配線２０、３０の束線を可能とした。溝孔５、１５、２５、３５は本体２、１２、２２、３２長手方向に長孔に設け、引掛部７、１７、３７は櫛状にした先を略台形に設ける。これにより、下部曲げ部６、１６、３６、に引掛部７、１７、３７を設けたため電気機器収納用箱体の強度向上を図ると共に配線２０、３０の束線を一つの部材で行うことが可能となるため、必要となる部材の数が減り、組立作業効率の向上やコストの削減が可能となる。又、上部曲げ部４、１４、２４、３４に溝孔５、１５、２５、３５を設けたため横方向の配線２０、３０であっても束線が可能となり、縦方向又は横方向の配線２０、３０のどちらにも対応可能となる。又、電気機器収納用箱体のフレーム１間であれば場所を選ばずに取り付けることが可能であるため、電気機器収納用箱体内部に搭載する機器の配線２０、３０に合わせた取り付けが可能となる。
【実施例２】
【００１４】
電気機器収納用箱体のフレームに取り付けられるケーブル束線機能付サイドレールであって、このケーブル束線機能付サイドレールは左右両端に設けた固定孔４３によって電気機器収納用箱体の左右のフレームに取り付けられると共に、断面が略コ字状になるように形成した本体４２と、本体４２の上面において束線を行うための溝孔４５を設けると共に部分的に曲げ加工を施して配線支持部４８を設けた上部曲げ部４４と、上部曲げ部４４と対向して引掛部を設けた下部曲げ部とからなり、結束バンド等を溝孔４５を通し、又は引掛部と共に縛ることにより配線の束線を可能とした。溝孔４５は本体４２長手方向に長孔に設け、引掛部は櫛状にした先を略台形に設ける。これにより、下部曲げ部に引掛部を設けたため電気機器収納用箱体箱体の強度向上を図ると共に配線の束線を一つの部材で行うことが可能となるため、必要となる部材の数が減り、組立作業効率の向上やコストの削減が可能となる。又、上部曲げ部４４に溝孔４５を設けたため横方向の配線であっても束線が可能となり、縦方向又は横方向の配線のどちらにも対応可能となる。又、電気機器収納用箱体のフレーム間であれば場所を選ばずに取り付けることが可能であるため、電気機器収納用箱体内部に搭載する機器の配線に合わせた取り付けが可能となる。又、上部曲げ部４４に配線支持部４８を設けたため、横方向の配線を束線した際に上部曲げ部４４における配線の位置ずれを防ぐことが可能となる。
【実施例３】
【００１５】
電気機器収納用箱体のフレームに取り付けられるケーブル束線機能付サイドレールであって、このケーブル束線機能付サイドレールは左右両端に設けた固定孔５３によって電気機器収納用箱体の左右のフレームに取り付けられると共に、断面が略コ字状になるように形成した本体５２と、本体５２の上面において束線を行うための溝孔５５を設けると共に必要箇所に曲げ加工を施して配線支持部５８を設けた上部曲げ部５４と、上部曲げ部５４と対向して引掛部を設けた下部曲げ部と、下部曲げ部と上部曲げ部５４との間に形成されると共に、必要箇所にマウントアングルの取り付けを行う取付孔５９を設けた側面とからなり、結束バンド等を溝孔５５を通し、又は引掛部と共に縛ることにより配線の束線を可能とした。溝孔５５は本体５２長手方向に長孔に設け、引掛部は櫛状にした先を略台形に設ける。これにより、下部曲げ部に引掛部を設けたため電気機器収納用箱体箱体の強度向上を図ると共に配線の束線を一つの部材で行うことが可能となるため、必要となる部材の数が減り、組立作業効率の向上やコストの削減が可能となる。又、上部曲げ部５４に溝孔５５を設けたため横方向の配線であっても束線が可能となり、縦方向又は横方向の配線のどちらにも対応可能となる。又、電気機器収納用箱体のフレーム間であれば場所を選ばずに取り付けることが可能であるため、電気機器収納用箱体内部に搭載する機器の配線に合わせた取り付けが可能となる。又、上部曲げ部に配線支持部５８を設けたため、横方向の配線を束線した際に上部曲げ部５４における配線の位置ずれを防ぐことが可能となる。又、側面に取付孔５９を設けたため電気機器収納用箱体の内部にマウントアングルを取り付ける場合であっても、取付孔５９による固定が可能となり、電気機器収納用箱体箱体の強度を更に向上させることが可能となる。
【実施例４】
【００１６】
電気機器収納用箱体のフレームに取り付けられるケーブル束線機能付サイドレールであって、このケーブル束線機能付サイドレールは左右両端に設けた固定孔６３によって電気機器収納用箱体の左右のフレームに取り付けられると共に、断面が略コ字状になるように形成した本体６２と、本体６２の上面において束線を行うための溝孔６５を二列設けた上部曲げ部６４と、上部曲げ部６４と対向して引掛部を設けた下部曲げ部とからなり、結束バンド等を溝孔６５の二列共に通し、又は引掛部と共に縛ることにより配線の束線を可能とした。溝孔６５は本体６２長手方向に長孔に設け、引掛部は櫛状にした先を略台形に設ける。これにより、下部曲げ部に引掛部を設けたため電気機器収納用箱体箱体の強度向上を図ると共に配線の束線を一つの部材で行うことが可能となるため、必要となる部材の数が減り、組立作業効率の向上やコストの削減が可能となる。又、上部曲げ部６４に溝孔６５を設けたため横方向の配線であっても束線が可能となり、縦方向又は横方向の配線のどちらにも対応可能となる。又、電気機器収納用箱体のフレーム間であれば場所を選ばずに取り付けることが可能であるため、電気機器収納用箱体内部に搭載する機器の配線に合わせた取り付けが可能となる。又、溝孔６５を二列に設けたため、横方向の配線を束線した際に上部曲げ部６４における配線の位置ずれを防ぐことが可能となる。
【実施例５】
【００１７】
電気機器収納用箱体のフレームに取り付けられるケーブル束線機能付サイドレールであって、このケーブル束線機能付サイドレールは左右両端に設けた固定孔７３によって電気機器収納用箱体の左右のフレームに取り付けられると共に、断面が略コ字状になるように形成した本体７２と、本体７２の上面において束線を行うための溝孔７５を設けると共に部分的に曲げ加工を施して配線支持部７８を設けた上部曲げ部７４と、上部曲げ部７４と対向して引掛部を設けた下部曲げ部とからなり、結束バンド等を溝孔７５を通し、又は引掛部と共に縛ることにより配線の束線を可能とした。溝孔７５は本体７２長手方向に長孔に設け、引掛部は櫛状にした先を略台形に設ける。又、上部曲げ部７４の配線支持部７８は更に本体７２短手方向へ伸ばす。これにより、下部曲げ部に引掛部を設けたため電気機器収納用箱体箱体の強度向上を図ると共に配線の束線を一つの部材で行うことが可能となるため、必要となる部材の数が減り、組立作業効率の向上やコストの削減が可能となる。又、上部曲げ部７４に溝孔７５を設けたため横方向の配線であっても束線が可能となり、縦方向又は横方向の配線のどちらにも対応可能となる。又、電気機器収納用箱体のフレーム間であれば場所を選ばずに取り付けることが可能であるため、電気機器収納用箱体内部に搭載する機器の配線に合わせた取り付けが可能となる。又、上部曲げ部７４に配線支持部７８を設けたため、横方向の配線を束線した際に上部曲げ部７４における配線の位置ずれを防ぐことが可能となる。又、配線支持部７８を本体短手方向へ伸ばすことにより、横配線の束線範囲拡大を図ることが可能となる。
【００１８】
なお、引掛部の構造については本実施例における櫛状にした先を略台形に設けたものに限定されるものではなく、本発明の趣旨を変更しない範囲で適宜変更可能である。
【産業上の利用可能性】
【００１９】
電気機器収納用箱体箱体の強度向上と配線の管理を一つの部材で行うことが可能であるため、必要となる部材の数が減り、組立作業効率の向上やコストの削減が可能となる。
【符号の説明】
【００２０】
１    フレーム
２、１２、２２、３２、４２、５２、６２、７２、８２    本体
３、１３、２３、３３、４３、５３、６３、７３、８３    固定孔
４、１４、２４、３４、４４、５４、６４、７４    上部曲げ部
５、１５、２５、３５、４５、５５、６５、７５    溝孔
６、１６、３６    下部曲げ部
７、１７、３７    引掛部
４８、５８、７８    配線支持部
５９、８９    取付孔
２０、３０、４０    配線
９０、９１、９２    結束バンド
【図１】
2011100764.tif 000003
【図２】
2011100764.tif 000004
【図３】
2011100764.tif 000005
【図４】
2011100764.tif 000006
【図５】
2011100764.tif 000007
【図６】
2011100764.tif 000008
【図７】
2011100764.tif 000009
【図８】
2011100764.tif 000010
【図９】
2011100764.tif 000011
【図１０】
2011100764.tif 000012